(57)【要約】【課題】従来の携行品においては、体の熱を検知し、情報を送信するものは存在しなかった。【解決手段】当該携行品を身に着けている着用者の体の熱を検知する検知部と、検知部が熱を検知した場合に情報を送信する送信部とを具備する携行品により、体の熱を検知し、情報を送信する携行品を提供できる。従って、着用者が当該携行品を身に着けている場合に、当該携行品から情報が送信されるので、情報の送信先において、少なくとも、着用者が当該携行品を身に着けていることを確認できる。【選択図】図２
2020013343.tif 000002
【特許請求の範囲】
【請求項１】
当該携行品を身に着けている着用者の体の熱を検知する検知部と、
前記検知部が熱を検知した場合に情報を送信する送信部とを具備する携行品。
【請求項２】
前記着用者の頭部を覆う帽体をさらに具備し、
前記検知部は、
前記帽体の内側の熱を検知する請求項１記載の携行品。
【請求項３】
前記検知部は、
１以上の熱電変換素子を含み、
前記送信部は、
前記１以上の熱電変換素子が出力する電力を少なくとも用いて送信を行う請求項１または請求項２記載の携行品。
【請求項４】
現在位置を示す位置情報を取得する位置取得部をさらに具備し、
前記送信部は、
前記位置情報を送信する請求項１から請求項３いずれか一項に記載の携行品。
【請求項５】
前記送信部は、
定期的に送信を行う請求項１から請求項４いずれか一項に記載の携行品。
【請求項６】
携行品に設けられる熱送信モジュールであって、
当該携行品を身に着けている着用者の体の熱を検知する検知部と、
前記検知部が熱を検知した場合に情報を送信する送信部とを具備する熱送信モジュール。
【請求項７】
携行品が具備する検知部および送信部によって実現される熱検知情報送信方法であって、
前記検知部が、当該携行品を身に着けている着用者の体の熱を検知する検知ステップと、
前記送信部が、前記検知部が熱を検知した場合に情報を送信する送信ステップとを含む熱検知情報送信方法。
【請求項８】
携行品のコンピュータを、
当該携行品を身に着けている着用者の体の熱を検知する検知部と、
前記検知部が熱を検知した場合に情報を送信する送信部として機能させるためのプログラム。
【発明の詳細な説明】
【技術分野】
【０００１】
本発明は、ヘルメット等の携行品に関するものである。
【背景技術】
【０００２】
従来、ヘルメット本体と内装材との間の空気流通路内に、サーモモジュールを設けたヘルメットが存在した（例えば、特許文献１参照）。サーモモジュールは、ヘルメット本体の内側を高温側とし、ヘルメット本体の外側を低温側として、高温側と低温側との間で熱を移動させることにより、ヘルメットの内側を冷却する。
【０００３】
また、帽体に、ソーラパネルとバッテリと小型送風機とを装備したヘルメットも存在した。ソーラパネルで発電された電力は、バッテリに蓄電され、小型送風機は、バッテリからの給電により起動される。小型送風機からの送風は、帽体正面の通気口を経て帽体内に導入され、それによって、ヘルメットの内側が換気される。
【先行技術文献】
【特許文献】
【０００４】
【特許文献１】特開２００２−３４８７２０号公報
【特許文献２】登録実用新案第３１７５９３１号公報
【発明の概要】
【発明が解決しようとする課題】
【０００５】
しかし、従来のヘルメットにおいて、着用者の体の熱を検知し、情報を送信するものは存在しなかった。また、ヘルメット以外の従来の携行品（例えば、ゴーグル、リュックサック、ランドセル等）においても、着用者の体の熱を検知し、情報を送信するものは存在しなかった。さらに、人が身に着ける携行品に限らず、犬などの動物に着ける携行品（例えば、首輪など）においても、動物の体の熱を検知し、情報を送信するものは存在しなかった。
【０００６】
例えば、地震で倒壊した建物の下に、人や動物等の生体が居る場合に、その体の熱を検知し、現在位置等の情報を送信する携行品を提供できれば、生体の迅速な救助が期待できる。
【課題を解決するための手段】
【０００７】
本第一の発明の携行品は、当該携行品を身に着けている着用者の体の熱を検知する検知部と、検知部が熱を検知した場合に情報を送信する送信部とを具備する携行品である。
【０００８】
かかる構成により、体の熱を検知し、情報を送信する携行品を提供できる。従って、着用者が当該携行品を身に着けている場合に、当該携行品から情報が送信されるので、情報の送信先において、少なくとも、着用者が当該携行品を身に着けていることを確認できる。例えば、地震で倒壊した建物の下に、携行品を身に着けた人や動物等の生体が居る場合に、携行品が、その体の熱を検知し、情報を送信するので、生体の迅速な救助が期待できる。
【０００９】
また、本第二の発明の携行品は、第一の発明に対して、着用者の頭部を覆う帽体をさらに具備し、検知部は、帽体の内側の熱を検知する携行品である。
【００１０】
かかる構成により、帽体の内側の熱を検知し、情報を送信するヘルメットを提供できる。従って、着用者が当該ヘルメットを被っている場合に、当該ヘルメットから情報が送信されるので、情報の送信先において、少なくとも、着用者が当該ヘルメットを被っていることを確認できる。
【００１１】
また、本第三の発明の携行品は、第一または第二の発明に対して、検知部は、１以上の熱電変換素子を含み、送信部は、１以上の熱電変換素子が出力する電力を少なくとも用いて送信を行う携行品である。
【００１２】
かかる構成により、体の熱で発電し、発電した電力を少なくとも用いて、情報を送信する携行品を提供できる。従って、例えば、バッテリなしで、または発電した電力とバッテリの電力とを併用して、情報の送信が行える。
【００１３】
なお、第三の発明において、検知部は、１以上の熱電変換素子の少なくとも一部が出力する電力に関する値を計測し、計測値を取得する計測手段と、計測値が予め決められた閾値より大きいか否か又は閾値以上か否かを判別する判別手段とをさらに含み、送信部は、判別手段が、計測値が予め決められた閾値より大きい又は閾値以上と判別した場合に、情報を送信してもよい。
【００１４】
かかる構成により、体の熱で発電し、発電した電力に関する値を計測することにより体の熱を的確に検知すると共に、発電した電力を少なくとも用いて情報を送信する、携行品を提供できる。
【００１５】
また、第一から第三いずれか１つの発明において、少なくとも送信部が送信を行うための電力の全部または一部を供給するバッテリをさらに具備してもよい。
【００１６】
かかる構成により、バッテリの電力を用いて、または１以上の熱電変換素子からの電力とバッテリの電力とを併用して、情報を送信できる。
【００１７】
また、本第四の発明の携行品は、第一から第三いずれか１つの発明に対して、現在位置を示す位置情報を取得する位置取得部をさらに具備し、送信部は、位置情報を送信する携行品である。
【００１８】
かかる構成により、体の熱を検知し、位置情報を送信する携行品を提供できる。従って、着用者が当該携行品を身に着けている場合に、当該携行品から位置情報が送信されるので、位置情報の送信先において、着用者が当該携行品を身に着けていることを確認でき、また、着用者の現在位置を知ることもできる。
【００１９】
また、本第五の発明の携行品は、第一から第四いずれか１つの発明に対して、送信部は、定期的に送信を行う携行品である。
【００２０】
かかる構成により、体の熱を検知し、定期的に情報を送信する携行品を提供できる。従って、情報の送信先において、少なくとも、着用者が当該携行品を身に着けていることを、定期的に確認できる。
【発明の効果】
【００２１】
本発明によれば、着用者の体の熱を検知し、情報を送信する携行品を提供できる。
【図面の簡単な説明】
【００２２】
【図１】実施の形態における情報システムのブロック図
【図２】同熱送信モジュールのブロック図
【図３】同熱送信モジュールの動作を説明するフローチャート
【図４】同画面の一例を示す図
【図５】同コンピュータシステムの内部構成の一例を示す図
【図６】同ヘルメットの構成例を示す図
【発明を実施するための形態】
【００２３】
以下、携行品等の実施形態について図面を参照して説明する。なお、実施の形態において同じ符号を付した構成要素は同様の動作を行うので、再度の説明を省略する場合がある。
【００２４】
図１は、本実施の形態における情報システムのブロック図である。この情報システムは、１または２以上の携行品１、およびサーバ２を備える。
【００２５】
携行品１とは、ユーザによって携行される物品である。携行とは、身に着けて持っていくことである。身に着けることは、通常、物品を、体と直に接触する又は衣服を介して接触する状態に置くことである。ただし、身に着けることは、例えば、物品を、体と接触はしないが、体からの距離が閾値以下または閾値未満の状態に置く場合も含んでもよく、広く解し得る。
【００２６】
なお、閾値は、例えば、５ｍｍ、１ｃｍ、１０ｃｍ等であるが、その数値は問わない。または、閾値は、例えば、後述する熱感知センサが、ユーザの体の熱を感知し得る最大距離であってもよい。以下では、携行品１を身に着けているユーザを着用者と記す場合がある。なお、着用者は、通常、人であるが、例えば、首輪などの携行品１を着けた犬などの動物であってもよく、広く解し得る。
【００２７】
携行品１は、特に、例えば、防災用品である。防災用品とは、着用者を災害から守るための物品である。災害は、例えば、工事現場や工場等における作業時の災害でもよいし、地震や台風等の自然災害でもよい。防災用品は、例えば、防災用のヘルメット（保護帽ともいう）、作業用のゴーグル（保護メガネともいう）などであるが、自然災害時に持ち出すリュックサックや、水難時に着用する救命胴衣などでもよい。
【００２８】
または、携行品１は、防犯用品でもよい。防犯用品とは、着用者を犯罪から守るための物品である。この種の物品としては、例えば、児童が通学時に身に着ける防犯ブザーが挙げられる。
【００２９】
また、携行品１は、防災用品や防犯用品に限らず、例えば、後述する熱送信モジュール１０を付加することによって、着用者を災害や犯罪や事故等から守る効果が顕著となるような物品であってもよい。この種の物品としては、例えば、児童が身に着けるランドセルや学帽等が挙げられるが、ライダーが身に着ける乗車用のヘルメットや乗車用のゴーグル、スキー等のスポーツ用ゴーグルなどでもよい。
【００３０】
さらに、携行品１は、ユーザが身に着けて持っていく物品であれば、例えば、腕時計、眼鏡、鞄、携帯端末等、何でもよい。なお、携帯端末とは、例えば、スマートフォン、タブレット端末、携帯電話機、ノートＰＣ等であるが、スマートウォッチ、スマートグラスなどでもよく、その種類は問わない。
【００３１】
ただし、例えば、携帯端末のような、通信機能を元々有している物品は、携行品１から除外してもよい。また、腕時計や眼鏡のような、日常生活において、常時着用している又は着用している状態が通常である物品も、携行品１から除外してもよい。
【００３２】
以下の説明において、携行品１は、特に言及しない場合、防災用のヘルメットである。かかる携行品１は、通常、帽体１６、および内装体１７を備える。ただし、携行品１は、内装体１７を備えていなくてもよいし、他の部材（例えば、図示しないあご紐など）をさらに備えていてもよい。
【００３３】
帽体１６とは、着用者の頭部を覆う部材である。帽体１６は、例えば、ＦＲＰやＡＢＳなどの樹脂で構成されるが、その素材は問わない。内装体１７とは、帽体１６の内側に設けられる部材である。内装体１７は、例えば、ハンモック、およびヘッドバンドなどを有する。ただし、内装体１７の構成は問わない。なお、帽体１６の内面には、衝撃吸収用のライナーが設けられていてもよい。ライナーは、内装体１７の１つと考えてもよいし、帽体１６の内面とみなすこともできる。
【００３４】
１以上の各携行品１は、例えば、熱送信モジュール１０を備える。熱送信モジュール１０とは、体の熱を検知し、情報を送信するモジュールである。
【００３５】
熱送信モジュール１０は、例えば、無線ＬＡＮやインターネット等のネットワーク、無線通信回線などを介して、サーバ２と接続され、サーバ２に対して、少なくとも送信を行うことができる。なお、熱送信モジュール１０は、通常、サーバ２からの受信も行うことができるが、送信専用でもよい。
【００３６】
熱送信モジュール１０は、通常、帽体１６または内装体１７に設けられるが、他の部材に設けられてもよい。
【００３７】
または、携行品１が作業用のゴーグルの場合、携行品１は、グラス１８、およびフレーム１９をさらに備える。熱送信モジュール１０は、通常、フレーム１９に設けられるが、グラス１８に設けられてもよいし、図示しないベルトに設けられても構わない。
【００３８】
なお、携行品１が、災害時に持ち出すリュックサック、または通学用のランドセルの場合、熱送信モジュール１０は、例えば、２本の肩紐の一方に設けられるが、どの部材に設けてもよい。
【００３９】
サーバ２は、例えば、１以上の携行品１とその着用者を管理する企業や団体等の組織のサーバであるが、クラウドサーバやＡＳＰサーバ等でもよい。または、サーバ２は、家庭のＰＣや、保護者のスマートフォン等でもよく、そのタイプや所在は問わない。
【００４０】
だたし、図１に示した構成は一例であり、適宜変更可能である。例えば、サーバ２は必須ではなく、一の携行品１のみでも、本発明を実現可能である。また、１以上の各携行品１は、必ずしも熱送信モジュール１０を備えていなくてもよく、少なくとも、後述する検知部１２、および後述する送信部１４を備えていれば、本発明を実現可能である。なお、情報システムの最小構成は、例えば、図６に示す一の携行品１Ａであるが、これについては、具体例２で説明する。
【００４１】
図２は、熱送信モジュール１０のブロック図である。熱送信モジュール１０は、格納部１１、検知部１２、位置情報取得部１３、送信部１４、およびバッテリ１５を備える。
【００４２】
ただし、図２の構成は一例であり、適宜変更可能である。例えば、熱送信モジュール１０は、必ずしもバッテリ１５を備えていなくてもよい。つまり、バッテリ１５は、携行品１の、熱送信モジュール１０以外の部材に設けられてもよいし、または、携行品１自体が、バッテリ１５を備えていなくてもよい。
【００４３】
なお、本実施形態における熱送信モジュール１０は、例えば、ＭＰＵ、メモリ、センサ（例えば、１以上の熱電変換素子）、および通信モジュール等を集積した一のＩＣチップである。ただし、熱送信モジュール１０は、例えば、ＭＰＵやメモリ等を有するＩＣチップ、１以上の熱電変換素子を有する熱電変換モジュール、および通信モジュールといった、２以上の要素で構成されてもよい。かかる場合、２以上の各要素は、例えば、帽体１６または内装体１７の一方のみに設けられてもよいし、帽体１６または内装体１７または他の部材に分散して設けられてもよい。
【００４４】
格納部１１は、各種の情報を格納し得る。各種の情報とは、例えば、送信部１４によって送信される情報や、各種のタイミング情報などである。なお、送信部１４によって送信される情報、および各種のタイミング情報については後述する。
【００４５】
検知部１２は、着用者の体の熱を検知する。体の熱とは、例えば、着用者の体の温度（以下、体温と記す場合がある）と、外気の温度（以下、外気温）との温度差でもよいし、体が発する熱輻射であってもよい。
【００４６】
体の熱を検知することは、例えば、体温または体の近傍の温度と、外気温との温度差を検出することであるが、体が発する熱輻射（例えば、赤外線）を感知することでもよい。なお、体の近傍の温度とは、体の表面近くに存在する空気または部材の温度であり、通常、体温と同じ又は略同じである。このため、以下では、体温または体の近傍の温度を、単に体温と記す。また、外気温は、通常、体温よりも低いが、体温と同じ又は体温より高い場合もあり得る。
【００４７】
体温と外気温との温度差は、例えば、熱電変換素子１２１を用いて検出できる。熱電変換素子１２１とは、熱を電力に変換する素子である。熱電変換素子１２１は、２種類の異なる金属または半導体を接合して構成される。熱電変換素子１２１の両端に温度差があると、起電力が生じ、熱電変換素子１２１から、当該温度差に応じた電力が出力される。
【００４８】
または、体の熱を検知することは、例えば、熱感知センサ（例えば、赤外線センサ）を用いて、体が発する熱輻射を感知することでもよい。あるいは、体の熱を検知することは、より単純に、一の温度センサを用いて、平均的な体温またはそれ以上の温度を検知することでもよく、その検知手法は問わない。
【００４９】
なお、体の熱を検知することは、例えば、頭部の熱を検知することであるが、背中や胸部など、頭部以外の部位の熱を検知することでもよいし、体の２以上の各部位の熱を検知することでもよい。
【００５０】
検知部１２は、例えば、帽体１６の内側の熱を検知する。帽体１６の内側の熱とは、通常、着用者の頭部の熱である。帽体１６の内側の熱を検出することは、例えば、帽体１６の内側の温度と、帽体１６の外側の温度との温度差を検出することでもよいし、頭部が発する熱輻射を感知することでもよい。帽体１６の内側の温度とは、例えば、帽体１６の内面の温度でもよいし、当該内面の近傍の空気または内装体１７の温度でもよい。帽体１６の外側の温度とは、帽体１６の外面の温度でもよいし、外気温でもよい。
【００５１】
検知部１２は、例えば、熱電変換素子１２１を含む。熱電変換素子１２１は、例えば、帽体１６に取り付けられる。熱電変換素子１２１は、その一方端が帽体１６の内面側に位置し、かつ、その他方端が帽体１６の外面側に位置するように、帽体１６に取り付けられることは好適である。それにより、検知部１２は、頭部の熱を的確に検知できる。
【００５２】
または、熱電変換素子１２１は、内装体１７に取り付けられてもよい。すなわち、熱電変換素子１２１は、例えば、その一方端が、内装体１７を構成するヘッドバンドの内面側に位置し、かつ、その他方端が、当該ヘッドバンドの外面側に位置するように、内装体１７に取り付けられてもよい。または、熱電変換素子１２１は、例えば、その一方端が、内装体１７を構成するハンモックの内面側に位置し、かつ、その他方端が、当該ハンモックの外面側に位置するように、内装体１７に取り付けられてもよい。それによっても、頭部の熱の的確な検知は可能である。
【００５３】
ただし、頭部の熱を検知可能であれば、熱電変換素子１２１の取り付け場所は問わない。例えば、携行品１がゴーグルの場合、熱電変換素子１２１は、フレーム１９に取り付けられてもよい。また、携行品１がリュックサックの場合、熱電変換素子１２１は、肩紐に取り付けられてもよい。
【００５４】
検知部１２は、上記のような熱電変換素子１２１を、２以上、含んでいてもよい。そして、体の熱を検知することは、例えば、検知部１２に含まれる１または２以上の熱電変換素子１２１が、送信部１４が情報を送信し得る電力を出力することであってもよい。
【００５５】
または、体の熱を検知することは、１以上の熱電変換素子１２１が、閾値以上または閾値よりも大きい電力を出力している状態を検知することでもよい。かかる場合、検知部１２は、例えば、計測手段１２２、および判別手段１２３をさらに含む。
【００５６】
計測手段１２２は、１以上の熱電変換素子１２１の少なくとも一部が出力する電力に関する値を計測し、計測値を取得する。少なくとも一部が出力する電力とは、１以上の熱電変換素子１２１が全体として出力する電力でもよいし、１以上の熱電変換素子１２１のうち一の熱電変換素子１２１が出力する電力でもよい。なお、全体として出力する電力とは、例えば、１以上の各熱電変換素子１２１が出力する電力を合計した合計値であるが、合計値よりも小さい値であってもよい。また、電力に関する値とは、電力の値でもよし、電圧または電流の値でもよい。
【００５７】
判別手段１２３は、計測手段１２２が取得した計測値が予め決められた閾値より大きいか否か又は閾値以上か否かを判別する。なお、閾値は、例えば、格納部１１に予め格納されている。
【００５８】
検知部１２は、例えば、判別手段１２３が、取得された計測値が予め決められた閾値より大きい又は閾値以上と判別した場合に、体温と外気温との温度差が大きい状態であり、体の熱を検知したと判断する。
【００５９】
なお、検知部１２は、１以上の熱電変換素子１２１に代えて、またはこれに加えて、例えば、第一および第二の２つの温度センサを含んでもよい。第一の温度センサは、帽体１６の内面または内装体１７に設けられ、第二の温度センサは、帽体１６の外面に設けられる。計測手段１２２は、第一の温度センサで検知される帽体１６の内側の温度と、第二の温度センサで検知される帽体１６の外側の温度との温度差を計測し、計測値を取得する。判別手段１２３は、計測手段１２２が取得した計測値が予め決められた閾値より大きいか否か又は閾値以上か否かを判別する。この場合の閾値は、例えば、１０度、５度等であるが、その数値は問わない。検知部１２は、取得された計測値が、かかる閾値より大きい又は閾値以上と判別された場合に、体温と外気温との温度差が大きい状態であり、体の熱を検知したと判断する。
【００６０】
なお、検知部１２が、１以上の熱電変換素子１２１に加えて、第一および第二の２つの温度センサを含む場合、１以上の熱電変換素子１２１が出力する電力は、例えば、送信部１４、位置情報取得部１３、計測手段１２２、判別手段１２３のうち１以上に供給されてもよい。また、このことは、下記のように、検知部１２が、１以上の熱電変換素子１２１に加えて、一の温度センサを含む場合にも当てはまる。
【００６１】
または、検知部１２は、１以上の熱電変換素子１２１に代えて、またはこれに加えて、例えば、一の温度センサを含んでもよい。温度センサは、帽体１６の内面または内装体１７に設けられ、計測手段１２２は、温度センサで帽体１６の内側の温度を計測し、計測値を取得する。判別手段１２３は、計測手段１２２が取得した計測値が予め決められた閾値より大きいか否か又は閾値以上か否かを判別する。この場合の閾値は、例えば、３６度、３６．５度等であるが、その数値は問わない。検知部１２は、取得された計測値が、かかる閾値より大きい又は閾値以上と判別された場合に、体の熱を検知したと判断する。
【００６２】
または、検知部１２は、一の熱感知センサで構成されてもよい。熱感知センサは、帽体１６の内面または内装体１７に設けられ、頭部が発する熱輻射を感知し、感知結果を出力する。感知結果は、例えば、熱を感知したことを示す情報でもよいし、熱を感知したこと又は感知していないことのいずれかを示す情報でも構わない。なお、熱感知センサは、例えば、赤外線を感知する赤外線センサであるが、人体からの熱輻射を感知する熱輻射センサでもよく、人体の熱を感知可能なセンサであれば、その種類は問わない。
【００６３】
位置情報取得部１３は、位置情報を取得部する。位置情報とは、位置に関する情報である。位置情報は、例えば、緯度および経度等の座標、および時刻情報を有する。位置情報取得部１３は、例えば、ＧＰＳやネットワークの位置検出機能等を利用して、位置情報を取得する。
【００６４】
位置情報取得部１３は、例えば、定期的に位置情報を取得する。位置情報取得部１３は、例えば、格納部１１に格納されている第一タイミング情報と、ＭＰＵの内蔵時計やＮＴＰサーバ等から取得した現在時刻とを用いて、位置情報の取得を行うタイミングを判断することにより、位置情報の定期的な取得を実現する。第一タイミング情報とは、位置情報を取得するタイミングに関する情報である。第一タイミング情報は、例えば、周期を示す情報であるが、１または２以上の時刻情報の集合でもよいし、一の時刻情報と周期とを含む情報でもよく、そのデータ構造は問わない。
【００６５】
位置情報取得部１３は、取得した位置情報を、例えば、格納部１１に、時系列に蓄積する。これによって、格納部１１において、履歴情報が構成される。履歴情報とは、時系列に配列された２以上の位置情報の集合である。この場合、格納部１１に格納されている履歴情報の末尾が、現在位置に対応する位置情報である。
【００６６】
または、位置情報取得部１３は、格納部１１に格納されている位置情報を、新たに取得した位置情報で上書きしても構わない。この場合、格納部１１に格納されている位置情報が、現在位置に対応する位置情報である。
【００６７】
送信部１４は、検知部１２が熱を検知した場合に、情報を送信する。なお、検知部１２が熱を検知した場合とは、前述したように、例えば、１以上の熱電変換素子１２１から、情報の送信を行い得る電力の供給を受けた場合である。または、検知部１２が熱を検知した場合とは、計測手段１２２が取得した計測値が予め決められた閾値より大きい又は閾値以上であると、判別手段１２３が判別した場合でもよい。
【００６８】
検知部１２が熱を検知した場合に送信される情報は、例えば、ユーザ識別子、物品識別子、位置情報、および熱を検知した旨を示す文字列のうち１以上である。
【００６９】
ユーザ識別子とは、ユーザを識別する情報である。ユーザ識別子は、通常、当該携行品１の着用者を識別する情報である。ユーザ識別子は、例えば、携帯電話番号、メールアドレスなどであるが、ＩＤでもよく、携行品１の着用者を識別し得る情報であれば何でもよい。
【００７０】
物品識別子とは、物品を識別する情報である。物品識別子は、通常、当該携行品１を識別する情報である。物品識別子は、例えば、ＭＡＣアドレスやＩＰアドレス等であるが、ＩＤでもよく、携行品１を識別し得る情報であれば何でもよい。なお、物品識別子は、ユーザ識別子と兼用でもよい。
【００７１】
なお、送信される位置情報は、通常、現在位置に対応する位置情報であるが、履歴情報でもよい。
【００７２】
また、各種の情報は、通常、格納部１１に格納されており、送信部１４は、格納部１１から各種の情報を取得する。ただし、各種の情報は、例えば、メモリカード等の着脱可能な記録媒体から読み出されてもよいし、外部のサーバ等から受信されてもよく、その取得先は問わない。
【００７３】
送信部１４は、検知部１２が熱を検知した場合に、例えば、ユーザ識別子、物品識別子、および位置情報を送信することは好適である。それによって、当該携行品１が着用されたこと、当該携行品１を身に着けている着用者が誰であるか、そして、当該着用者が現在どこに居るか、といった情報を、送信先において知ることができる。
【００７４】
または、送信部１４は、検知部１２が熱を検知した場合に、例えば、物品識別子、および位置情報を送信してもよい。それによって、当該携行品１が着用されたこと、そして、当該携行品１が現在どこにあるか、といった情報を、送信先において知ることができる。
【００７５】
なお、携行品１が１つしかない場合は、物品識別子を送信する必要はない。ただし、携行品１が１つしかない場合でも、物品識別子を送信してもよい。
【００７６】
また、携行品１が１つしかない場合は、例えば、ユーザ識別子、物品識別子、位置情報、または熱を検知した旨を示す文字列のいずれか１つ、またはそれ以外の何らかの情報を送信することによって、少なくとも、当該携行品１が着用されたことを、送信先において知ることができる。
【００７７】
なお、検知部１２が熱を検知していない場合には、送信部１４は、何も送信しない。検知部１２が熱を検知していない場合とは、例えば、１以上の熱電変換素子１２１から、情報の送信を行い得る電力の供給を受けていない場合、または、計測手段１２２が取得した計測値が予め決められた閾値より以下または閾値未満であると、判別手段１２３が判別した場合などである。
【００７８】
送信部１４は、例えば、定期的に、情報の送信を行うことは好適である。それによって、少なくとも、当該携行品１が着用されていることを、送信先において定期的に確認できる。
【００７９】
送信部１４は、例えば、格納部１１に格納されている第二タイミング情報と、内蔵時計等から取得した現在時刻とを用いて、情報の送信を行うタイミングを判断することにより、情報の定期的な送信を実現する。第二タイミング情報とは、ユーザ識別子や位置情報等の情報を送信するタイミングに関する情報である。第二タイミング情報もまた、例えば、周期を示す情報であるが、１または２以上の時刻情報の集合でもよいし、一の時刻情報と周期とを含む情報でもよく、そのデータ構造は問わない。
【００８０】
なお、第二タイミング情報は、第一タイミング情報と同じ情報でもよい。この場合、送信部１４は、位置情報取得部１３が位置情報を取得したこと又は取得した位置情報を蓄積したことに応じて、情報の送信を行うタイミングであると判断してもよい。
【００８１】
または、携行品１は、例えば、充放電が可能な蓄電池（図示しない）をさらに備え、１以上の熱電変換素子１２１が出力する電力をこの蓄電池に蓄電し、蓄電池に蓄電されている電力量が閾値を超えると放電する動作を繰り返すことで、情報の定期的な送信を実現してもよい。
【００８２】
送信部１４は、例えば、検知部１２が熱を検知したことに応じて、情報を定期的に送信する動作を開始し、検知部１２が熱を検知しなくなると、情報を定期的に送信する動作を停止する。
【００８３】
ただし、送信部１４は、検知部１２が熱を検知してから、例えば、予め決められた時間が経過した後、または不特定の時間が経過した後、定期的な送信を開始してもよい。なお、予め決められた時間は、例えば、１分、５分、１５分等であるが、その長短は問わない。また、かかる時間を示す情報は、例えば、格納部１１に格納されている。さらに、不特定の時間は、例えば、上記蓄電池の電力が閾値を超えるまでの時間でもよい。
【００８４】
また、送信部１４は、検知部１２が熱を検知しなくなってから、例えば、予め決められた期間、または不特定の期間、情報を定期的に送信する動作を継続してもよい。なお、予め決められた期間は、例えば、１時間、１２時間、２日等であるが、その長短は問わない。また、かかる期間を示す情報は、例えば、格納部１１に格納されている。さらに、不特定の期間は、例えば、上記蓄電池の電力がなくなるまでの時間でもよい。
【００８５】
または、送信部１４は、例えば、検知部１２が熱を検知している期間のみ、サーバ２や他の装置からの要求に応じて、情報の送信を行ってもよい。すなわち、携行品１は、例えば、図示しない受信部をさらに備え、受信部が、サーバ２や他の装置から要求を受信し、送信部１４は、要求に応じて、検知部１２が熱を検知しているか否かを判断し、熱を検知している場合は情報を送信する一方、熱を検知していない場は情報を送信しない。なお、他の装置とは、例えば、サーバ２を管理する企業等のＰＣ、企業等の職員や保護者などが携帯する携帯端末などであるが、そのタイプや所在は問わない。
【００８６】
このように、送信部１４は、検知部１２が熱を検知した場合にのみ情報を送信すればよく、送信のタイミングやトリガは問わない。
【００８７】
送信部１４は、各種の情報を、通常、サーバ２に送信するが、他の装置に送信してもよいし、放送しても構わない。また、送信部１４は、サーバ２等への情報を、例えば、ネットワークや通信回線を介して送信するが、近距離無線通信で送信してもよく、その送信方法は問わない。
【００８８】
送信部１４は、バッテリ１５の電力、または１以上の熱電変換素子１２１が出力する電力のうち１以上の電力を用いて、情報の送信を行う。すなわち、送信部１４は、バッテリ１５の電力のみを用いて情報の送信を行ってもよいし、１以上の熱電変換素子１２１が出力する電力のみを用いて情報の送信を行ってもよいし、バッテリ１５の電力と１以上の熱電変換素子１２１が出力する電力とを併用して、情報の送信を行っても構わない。
【００８９】
送信部１４は、例えば、１以上の熱電変換素子１２１が出力する電力を少なくとも用いて、情報の送信を行うことは好適である。それによって、バッテリ１５が不要となる又はバッテリ１５の電力の消費を抑制できる。
【００９０】
なお、電力に関する上記事項は、例えば、検知部１２、計測手段１２２、判別手段１２３、または位置情報取得部１３のうち１以上についても当てはまる。
【００９１】
そして、検知部１２、計測手段１２２、判別手段１２３、位置情報取得部１３、および送信部１４の全てが、１以上の熱電変換素子１２１が出力する電力だけで動作し得る場合、バッテリ１５は不要となる。ただし、かかる場合でも、携行品１は、補助的または予備的に電力を供給するバッテリ１５を備えていてもよい。
【００９２】
バッテリ１５は、少なくとも送信部１４が送信を行うための電力の全部または一部を供給する。
【００９３】
また、バッテリ１５は、例えば、検知部１２が検知を行うための電力の全部または一部も供給してもよい。
【００９４】
さらに、バッテリ１５は、例えば、位置情報取得部１３が位置情報の取得を行うための電力の全部または一部も供給してもよい。
【００９５】
すなわち、バッテリ１５は、携行品１の動作に必要な電力の少なくとも一部を供給する。そして、１以上の熱電変換素子１２１が必要な電力の全部を供給し得る場合には、バッテリ１５は不要となる。
【００９６】
サーバ２のブロック図は、図１に含まれている。サーバ２は、サーバ格納部２１、サーバ受信部２２、サーバ処理部２３、およびサーバ出力部２４を備える。
【００９７】
サーバ格納部２１には、各種の情報が格納される。各種の情報とは、例えば、対応情報、画面構成情報などである。対応情報とは、ユーザ識別子とユーザ名との対応を示す情報である。対応情報は、例えば、ユーザ識別子とユーザ名との対の集合であるが、そのデータ構造は問わない。画面構成情報とは、画面を構成するための情報である。画面構成情報は、例えば、地図情報、および画像情報を含む。地図情報とは、地図に関する情報である。地図情報は、例えば、基盤地図情報であるが、経路案内用の地図情報などでもよく、その種類は問わない。画像情報は、例えば、携行品１のアイコンを地図上に表示するための画像データを含む。
【００９８】
また、サーバ格納部２１は、例えば、サーバ受信部２２が受信した情報も格納し得る。
【００９９】
サーバ受信部２２は、携行品１から送信された情報を受信する。なお、携行品１の送信部１４が送信する情報については、前述したので繰り返さない。
【０１００】
サーバ処理部２３は、サーバ受信部２２が情報を受信したか否かの判別などを行う。
【０１０１】
サーバ出力部２４は、サーバ受信部２２が受信した情報またはサーバ格納部２１に格納されている情報を出力する。なお、出力とは、例えば、ディスプレイへの表示であるが、スピーカーからの音出力、プリンタによるプリントアウト、サーバ格納部２１や他の記録媒体への蓄積、他のプログラムへの引き渡しなどでもよい。または、出力とは、他の装置への送信でもよく、その態様は問わない。
【０１０２】
サーバ出力部２４は、例えば、サーバ受信部２２が受信した情報と、サーバ格納部２１に格納されている情報とを用いて、画面を構成し、ディスプレイに表示する。
【０１０３】
例えば、サーバ受信部２２が、携行品１から、ユーザ識別子、物品識別子、および位置情報を受信した場合、サーバ出力部２４は、受信された物品識別子および位置情報と、格納されている画面構成情報が有する地図情報とを用いて、当該携行品１の地図上における位置を特定する。
【０１０４】
また、サーバ出力部２４は、当該地図情報を用いて、地図をディスプレイに表示し、さらに、当該画面構成情報が有する画像情報を用いて、受信された物品識別子に対応する携行品１のアイコンを、地図上の、上記のように特定した位置に表示する。
【０１０５】
そして、サーバ出力部２４は、サーバ格納部２１に格納されている対応情報を用いて、受信されたユーザ識別子に対応するユーザ名を取得し、地図上のアイコンに対応付けて、当該ユーザ名を表示する。
【０１０６】
格納部１１、およびサーバ格納部２１は、例えば、フラッシュメモリやＳＳＤといった不揮発性の記録媒体が好適であるが、ＲＡＭなど揮発性の記録媒体でも実現可能である。
【０１０７】
検知部１２、計測手段１２２、判別手段１２３、位置情報取得部１３、送信部１４、およびサーバ処理部２３は、通常、ＭＰＵやメモリ等から実現され得る。検知部１２等の処理手順は、通常、ソフトウェアで実現され、当該ソフトウェアはＲＯＭ等の記録媒体に記録されている。ただし、処理手順は、ハードウェア（専用回路）で実現してもよい。
【０１０８】
検知部１２は、例えば、１以上の熱電変換素子１２１等を含むと考えても、含まないと考えてもよい。
【０１０９】
送信部１４の送信機能は、通常、無線の通信手段（例えば、ＮＩＣ(Network interface controller)等の通信モジュール）で実現されるが、放送手段（例えば、放送モジュール）で実現されてもよい。
【０１１０】
サーバ受信部２２は、通常、無線の通信手段で実現されるが、放送を受信する手段（例えば、放送受信モジュール）で実現されてもよい。なお、携行品１の図示しない受信部も、同様である。
【０１１１】
サーバ出力部２４は、例えば、ディスプレイやスピーカー等の出力デバイスを含むと考えても含まないと考えてもよい。サーバ出力部２４は、出力デバイスのドライバーソフトによって、または出力デバイスとそのドライバーソフトとで実現され得る。
【０１１２】
次に、情報システムの動作について、図３のフローチャートを用いて説明する。図３は、熱送信モジュールの動作を説明するフローチャートである。
【０１１３】
（ステップＳ３０１）位置情報取得部１３は、格納部１１に格納されている第一タイミング情報と、ＭＰＵの内蔵時計等から取得した現在時刻とを用いて、位置情報の取得を行うタイミングか否かを判断する。位置情報の取得を行うタイミングである場合は、ステップＳ３０２に進み、位置情報の取得を行うタイミングでない場合は、ステップＳ３０４に進む。
【０１１４】
（ステップＳ３０２）位置情報取得部１３は、ＧＰＳやネットワークの位置検出機能等を利用して、位置情報を取得する。
【０１１５】
（ステップＳ３０３）位置情報取得部１３は、ステップＳ３０２で取得した位置情報を、格納部１１に、時系列に蓄積する。
【０１１６】
（ステップＳ３０４）送信部１４は、格納部１１に格納されている第二タイミング情報と、ＭＰＵの内蔵時計等から取得した現在時刻とを用いて、位置情報の送信を行うタイミングか否かを判断する。位置情報の送信を行うタイミングである場合は、ステップＳ３０２に進み、位置情報の送信を行うタイミングでない場合は、ステップＳ３０４に進む。
【０１１７】
（ステップＳ３０５）検知部１２は、熱を検知したか否かを判断する。詳しくは、計測手段１２２が、１以上の熱電変換素子１２１が出力する電力を計測し、計測値を取得する。判別手段１２３は、計測手段１２２が取得した計測値が、予め決められた閾値より大きいか否か又は閾値以上か否かを判別する。検知部１２は、判別手段１２３が、取得された計測値が予め決められた閾値より大きい又は閾値以上と判別した場合に、熱を検知したと判断する。
【０１１８】
熱を検知した場合はステップＳ３０６に進み、熱を検知していない場合はステップステップＳ３０１に戻る。
【０１１９】
（ステップＳ３０６）送信部１４は、格納部１１から、ユーザ識別子、物品識別子、および位置情報等の情報を取得し、サーバ２に送信する。その後、ステップＳ３０１に戻る。
【０１２０】
なお、図３のフローチャートでは、送信部１４が、第二タイミング情報と現在時刻とを用いて、位置情報の取得を行うタイミングか否かを判断しているが、前述したように、第二タイミング情報は、第一タイミング情報と同じ情報でもよく、その場合、送信部１４は、かかる判断を行わなくてもよい。そして、検知部１２は、位置情報取得部１３が位置情報の取得を行うと判断したこと又は位置情報を取得したこと又は位置情報を蓄積したことに応じて、熱を検知したか否かの判断を行えばよい。
【０１２１】
また、図３のフローチャートにおいて、携行品１に設けられた熱送信モジュールの電源オンやプログラムの起動に応じて処理が開始し、電源オフや処理終了の割り込みにより処理は終了する。ただし、処理の開始または終了のトリガは問わない。
【０１２２】
なお、フローチャートは省略するが、サーバ２では、以下のステップＳ４０１〜Ｓ４０３のような処理が行われる。
【０１２３】
（ステップＳ４０１）サーバ処理部２３は、サーバ受信部２２が、ユーザ識別子、物品識別子、および位置情報等の情報を受信したか否かを判別する。サーバ受信部２２が、ユーザ識別子、物品識別子、および位置情報等の情報を受信した場合はステップＳ４０２に進み、受信していない場合はステップＳ４０１に戻る。
【０１２４】
（ステップＳ４０２）サーバ出力部２４は、ステップＳ４０１で受信された物品識別子および位置情報と、サーバ格納部２１に格納されている画面構成情報が有する地図情報とを用いて、当該携行品１の地図上における位置を特定する。
【０１２５】
（ステップＳ４０３）サーバ出力部２４は、当該地図情報を用いて、地図をディスプレイに表示し、さらに、当該画面構成情報が有する画像情報を用いて、ステップＳ４０１で受信された物品識別子に対応する携行品１のアイコンを、地図上の、ステップＳ４０２で特定した位置に表示する。その後、ステップＳ４０１に戻る。
【０１２６】
なお、上記のような処理は、サーバ２の電源オンやプログラムの起動に応じて開始し、電源オフや処理終了の割り込みにより終了する。ただし、処理の開始または終了のトリガは問わない。
【０１２７】
次に、情報システムの具体例な動作例について説明する。
【０１２８】
（具体例１）
本例の情報システムは、２以上の携行品１、およびサーバ２を備える。２以上の各携行品１は、ネットワークを介してサーバ２と通信可能に接続される。各携行品１は、ヘルメットである。サーバ２は、２以上の携行品１とその着用者を管理する企業のサーバである。
【０１２９】
２以上の携行品１のうち、１つは、吉田さんのヘルメットであり、他の一つは、鈴木さんのヘルメットである。以下では、吉田さんのヘルメットを携行品１Ａ、鈴木さんのヘルメットを携行品１Ｂと記す。
【０１３０】
なお、本実施の形態では、第一タイミング情報と第二タイミング情報とは同じ情報であり、以下では、単にタイミング情報と記す。
【０１３１】
携行品１Ａの格納部１１には、ユーザ識別子“Ａ”、物品識別子“Ｈ１”、およびタイミング情報などが格納されている。
【０１３２】
携行品１Ｂの格納部１１には、ユーザ識別子“Ｂ”、物品識別子“Ｈ２”、およびタイミング情報などが格納されている。
【０１３３】
サーバ２のサーバ格納部２１には、対応情報、および画面構成情報などが格納されている。対応情報は、ユーザ識別子“Ａ”とユーザ名“吉田”との対、およびユーザ識別子“Ｂ”とユーザ名“鈴木”との対などを含む。
【０１３４】
携行品１Ａにおいて、位置情報取得部１３は、格納部１１のタイミング情報と、内蔵時計等から取得した現在時刻“ｔ”とを用いて、位置取得を行うタイミングか否かの判断を行っている。位置情報の取得を行うタイミングである場合、位置情報取得部１３は、ＧＰＳ等を利用して位置情報（ｘ１，ｙ１，ｔ）を取得し、取得した位置情報（ｘ１，ｙ１，ｔ）を、格納部１１に、時系列に蓄積する。
【０１３５】
他方、検知部１２は、熱電変換素子１２１等を利用して、熱の検知を行っている。検知部１２は、位置情報取得部１３が位置情報（ｘ１，ｙ１，ｔ）を取得したことに応じて、熱を検知したか否かを判断する。なお、熱を検知する手法、および熱を検知したか否かの判断手順については、前述したので繰り返さない。
【０１３６】
検知部１２が熱を検知したと判断した場合、送信部１４は、格納部１１から、ユーザ識別子“Ａ”、物品識別子“Ｈ１”、および位置情報（ｘ１，ｙ１，ｔ）等の情報を取得し、サーバ２に送信する。
【０１３７】
サーバ２において、サーバ受信部２２が、ユーザ識別子“Ａ”、物品識別子“Ｈ１”、および位置情報（ｘ１，ｙ１，ｔ）等の情報を受信し、サーバ出力部２４は、受信された物品識別子“Ｈ１”および位置情報（ｘ１，ｙ１，ｔ）と、サーバ格納部２１に格納されている画面構成情報が有する地図情報とを用いて、当該携行品１Ａの地図上における位置（Ｘ１，Ｙ１）を特定する。
【０１３８】
サーバ出力部２４は、当該地図情報を用いて、地図をディスプレイに表示し、さらに、当該画面構成情報が有する画像情報を用いて、受信された物品識別子に対応する携行品１Ａのアイコンを、地図上の、特定した位置（Ｘ１，Ｙ１）に表示する。
【０１３９】
携行品１Ｂにおいても、上記と同様、位置情報取得部１３は、位置取得を行うタイミングか否かの判断を行っている。位置取得を行うタイミングである場合、位置情報取得部１３は、位置情報（ｘ２，ｙ２，ｔ）を取得し、格納部１１に蓄積する。
【０１４０】
他方、検知部１２は、熱の検知を行っており、位置情報（ｘ２，ｙ２，ｔ）が取得されたことに応じて、熱を検知したか否かを判断する。熱を検知したと判断された場合、送信部１４は、格納部１１から、ユーザ識別子“Ｂ”、物品識別子“Ｈ２”、および位置情報（ｘ２，ｙ２，ｔ）等の情報を取得し、サーバ２に送信する。
【０１４１】
サーバ２において、サーバ受信部２２が、ユーザ識別子“Ｂ”、物品識別子“Ｈ２”、および位置情報（ｘ２，ｙ２，ｔ）等の情報を受信し、サーバ出力部２４は、受信された物品識別子“Ｈ２”および位置情報（ｘ２，ｙ２，ｔ）と、地図情報とを用いて、当該携行品１Ｂの地図上における位置（Ｘ２，Ｙ２）を特定する。
【０１４２】
サーバ出力部２４は、画面構成情報が有する画像情報を用いて、受信された物品識別子に対応する携行品１Ｂのアイコンを、表示されている地図上の、特定した位置（Ｘ２，Ｙ２）に、さらに表示する。
【０１４３】
こうして、ディスプレイには、例えば、図４に示すような画面が表示される。図４は、画面の一例を示す図である。この画面は、地図と、地図上の、位置（Ｘ１，Ｙ１）に表示された携行品１Ａのアイコンと、地図上の、位置（Ｘ２，Ｙ２）に表示された携行品１Ｂのアイコンとを有する。携行品１Ａのアイコンは、文字列“吉田”を有し、携行品１Ｂのアイコンは、文字列“鈴木”を有する。
【０１４４】
かかる画面を見ることにより、企業の担当者は、吉田さんがヘルメットを被っていることを確認できると共に、吉田さんの現在位置を知ることもできる。また、担当者は、鈴木さんがヘルメットを被っていることを確認できると共に、鈴木さんの現在位置を知ることもできる。
【０１４５】
なお、上記動作例において、各携行品１の送信部１４は、格納部１１の履歴情報をも送信してもよい。サーバ受信部２２は、各携行品１からの履歴情報をも受信し、サーバ出力部２４は、各携行品１からの履歴情報を基に、各携行品１の軌跡情報を構成する。軌跡情報とは、２以上の時刻における位置（Ｘ，Ｙ）の集合である。サーバ出力部２４は、構成した各軌跡情報に対応する軌跡をも、地図上に表示してもよい。これにより、担当者は、吉田さんと鈴木さん各々の、現在位置に至る足取りをも知ることができる。
【０１４６】
なお、本例において、携行品１は、ヘルメットであったが、例えば、防犯ブザー等の防犯用品でもよい。この場合、例えば、児童が朝夕の通学時に携行品１を身に着けている間だけ、携行品１から位置情報等の情報が送信されることで、父兄らは、児童が登校中または帰宅中であることや、その居場所等を把握できる。
【０１４７】
（具体例２）
本例の情報システムは、図６に示す一の携行品１Ａで構成される。この携行品１Ａは、図１の携行品１において、熱送信モジュール１０を、一の熱電変換素子１２１、および送信部１４に置き換えたものである。携行品１Ａは、例えば、地震等の災害時に、ユーザが被るヘルメットである。携行品１Ａを構成する送信部１４は、一の熱電変換素子１２１が出力する電力を用いて、情報を送信する。送信される情報は、例えば、“ＳＯＳ”等の予め決められた１または２以上の文字コードである。文字コードは、例えば、モールス符号で表現される。
【０１４８】
送信部１４は、例えば、電波発信機で構成される。電波発信機は、例えば、“ＳＯＳ”等のモールス符号で変調された電波を発信する。発信された電波は、図示しない電波受信器によって受信される。電波受信機は、例えば、災害後、倒壊した建物等の中に居る生存者の捜索を行う捜索者によって携行される。
【０１４９】
電波の受信可能距離は、例えば、１０ｍ〜２０ｍである。受信可能距離とは、電波発信機から発信された電波を、電波受信器が受信し得る、電波発信機から電波受信器までの最大の距離である。ただし、受信可能距離は、２０ｍを超えてもよいし、１０ｍ未満でもよい。
【０１５０】
なお、受信可能距離は、熱電変換素子１２１が出力する電力に依存するため、例えば、熱電変換素子１２１の変換効率が低い場合や、電波の受信可能距離を長くしたい場合には、携行品１Ａに設ける熱電変換素子１２１の数を２以上としてもよい。
【０１５１】
本例によれば、携行品１Ａを装着したユーザは、例えば、瓦礫に埋もれて、外部に声が届かなかったり、負傷して声を出せなかったり、気を失っていたりして、助けを呼べない状況でも、生存している限り、その体温により、救助を求める信号が自動的に携行品１Ａから発信され、近くにいる救助者に存在を知らせることができる。従って、低いコストで、自ら助けを呼べない被災者の発見率を高めることができる携行品１Ａが実現される。
【０１５２】
なお、本例において、携行品１Ａは、例えば、スキーや冬山登山等で用いるゴーグルであってもよい。この場合、携行品１Ａの着用者は、例えば、スキー中に雪崩に巻き込まれて意識を失っている状況や、冬山登山で遭難している状況において、携行品１ＡからＳＯＳ等の信号が送信される。これにより、自ら助けを呼べない遭難者の発見率を高めることができる。
【０１５３】
以上、本実施の形態によれば、携行品１は、当該携行品１を身に着けている着用者の体の熱を検知する検知部１２と、検知部１２が熱を検知した場合に情報を送信する送信部１４とを具備することにより、体の熱を検知し、情報を送信する携行品１を提供できる。従って、着用者が当該携行品１を身に着けている場合に、当該携行品１から情報が送信されるので、情報の送信先において、少なくとも、着用者が当該携行品１を身に着けていることを確認できる。
【０１５４】
また、携行品１は、着用者の頭部を覆う帽体１６をさらに具備し、検知部１２は、帽体１６の内側の熱を検知することにより、帽体１６の内側の熱を検知し、情報を送信するヘルメットを提供できる。従って、着用者が当該ヘルメットを被っている場合に、当該ヘルメットから情報が送信されるので、情報の送信先において、少なくとも、着用者が当該ヘルメットを被っていることを確認できる。
【０１５５】
また、上記構成において、検知部１２は、１以上の熱電変換素子１２１を含み、送信部１４は、１以上の熱電変換素子１２１が出力する電力を少なくとも用いて送信を行うことにより、体の熱で発電し、発電した電力を少なくとも用いて、情報を送信する携行品１を提供できる。従って、例えば、バッテリ１５なしで、または発電した電力とバッテリ１５の電力とを併用して、情報の送信が行える。
【０１５６】
なお、上記構成において、検知部１２は、計測手段１２２と、判別手段１２３とをさらに含んでもよい。計測手段１２２は、１以上の熱電変換素子１２１の少なくとも一部が出力する電力に関する値を計測し、計測値を取得する。判別手段１２３は、取得された計測値が、予め決められた閾値より大きいか否か又は閾値以上か否かを判別する。送信部１４は、判別手段１２３が、計測値が予め決められた閾値より大きい又は閾値以上と判別した場合に、情報を送信する。これによって、体の熱で発電し、発電した電力に関する値を計測することにより体の熱を的確に検知すると共に、発電した電力を少なくとも用いて情報を送信する、携行品１を提供できる。
【０１５７】
また、上記構成において、携行品１は、少なくとも送信部１４が送信を行うための電力の全部または一部を供給するバッテリ１５をさらに具備してもよく、これによって、バッテリ１５の電力を用いて、または１以上の熱電変換素子１２１からの電力とバッテリ１５の電力とを併用して、情報を送信できる。
【０１５８】
また、携行品１は、ヘルメットの現在位置を示す位置情報を取得する位置取得部をさらに具備し、送信部１４は、位置情報を送信する。これによって、体の熱を検知し、位置情報を送信する携行品１を提供できる。従って、着用者が当該携行品１を身に着けている場合に、当該携行品１から位置情報が送信されるので、位置情報の送信先において、着用者が当該携行品１を身に着けていることを確認でき、また、着用者の現在位置を知ることもできる。
【０１５９】
また、上記構成において、送信部１４は、定期的に送信を行うことにより、体の熱を検知し、定期的に情報を送信する携行品１を提供できる。従って、情報の送信先において、少なくとも、着用者が当該携行品１を身に着けていることを、定期的に確認できる。
【０１６０】
なお、本実施の形態では、人が身に着ける携行品１について説明したが、本発明の通信モジュール１０は、例えば、犬や猫等の動物に装着する首輪等の携行品にも適用可能である。従って、例えば、地震で倒壊した建物の下に、携行品１を身に着けた人や動物等の生体が居る場合に、携行品１が、その体の熱を検知し、位置情報等の情報を送信するので、生体の迅速な救助が期待できる。
【０１６１】
さらに、本実施の形態における処理は、ソフトウェアで実現しても良い。そして、このソフトウェアをソフトウェアダウンロード等により配布しても良い。また、このソフトウェアをメモリカードなどの記録媒体に記録して配布しても良い。なお、このことは、本明細書における他の実施の形態においても該当する。なお、本実施の形態における情報処理装置を実現するソフトウェアは、例えば、以下のようなプログラムである。
【０１６２】
つまり、このプログラムは、携行品１のコンピュータを、当該携行品１を身に着けている着用者の体の熱を検知する検知部１２と、前記検知部１２が熱を検知した場合に情報を送信する送信部１４として機能させるためのプログラムである。
【０１６３】
図５は、実施の形態におけるプログラムを実行して、熱送信モジュール１０等を実現するコンピュータシステム９００の内部構成の一例を示す図である。図５において、コンピュータシステム９００は、プログラムを実行するコンピュータであるＭＰＵ９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ９１３と、アプリケーションプログラム、システムプログラム、およびデータを記憶するストレージ９１４と、ＭＰＵ９１１、ＲＯＭ９１２等を相互に接続するバス９１５と、外部ネットワークや内部ネットワーク等のネットワークへの接続を提供するネットワークカード９１６と、メモリカードスロット９１７と、センサ９１８とを備える。ストレージ９１４は、例えば、フラッシュメモリである。センサ９１８は、例えば、熱電変換素子、温度センサ、熱感知センサなどである。なお、コンピュータシステム９００全体をコンピュータと呼んでもよい。
【０１６４】
コンピュータシステム９００に、携行品１等の機能を実行させるプログラムは、例えば、メモリカード９２０に記憶されて、メモリカードスロット９１７に挿入され、ストレージ９１４に転送されてもよい。これに代えて、そのプログラムは、ネットワークを介してコンピュータシステム９００に送信され、ストレージ９１４に記憶されてもよい。プログラムは、実行の際にＲＡＭ９１３にロードされる。なお、プログラムは、メモリカード９２０、またはネットワークから直接、ロードされてもよい。
【０１６５】
プログラムは、コンピュータシステム９００に、携行品１等の機能を実行させるオペレーティングシステム（ＯＳ）、またはサードパーティプログラム等を必ずしも含んでいなくてもよい。プログラムは、制御された態様で適切な機能やモジュールを呼び出し、所望の結果が得られるようにする命令の部分のみを含んでいてもよい。コンピュータシステム９００がどのように動作するのかについては周知であり、詳細な説明は省略する。
【０１６６】
なお、上述したコンピュータシステム９００は、ＩＣチップであるが、サーバ２は、例えば、サーバ、または据え置き型のＰＣ、または携帯端末で実現されてもよい。サーバまたは据え置き型ＰＣの場合、コンピュータシステム９００は、例えば、ディスプレイと、キーボードと、マウスとをさらに備え、メモリカードスロット９１７はディスクドライブに、ストレージ９１４はハードディスクやＳＳＤに、メモリカード９２０はＣＤやＤＶＤ等のディスクに、それぞれ置き換えられる。携帯端末の場合、コンピュータシステム９００は、ディスプレイと、ディスプレイの表示面に設けられたタッチパネルとをさらに備える。いずれの場合も、センサ９１８は、例えば、カメラやマイクロフォンなどである。ただし、以上は例示であり、熱送信モジュール１０等を実現するコンピュータのハードウェア構成は問わない。
【０１６７】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【０１６８】
また、上記プログラムを実行するコンピュータは、単数であってもよく、複数であってもよい。すなわち、集中処理を行ってもよく、あるいは分散処理を行ってもよい。
【０１６９】
また、上記実施の形態において、一の装置に存在する２以上の通信手段（送信部１４、および図示しない受信部など）は、物理的に一の媒体で実現されても良いことは言うまでもない。
【０１７０】
また、上記実施の形態において、各処理（各機能）は、単一の装置（システム）によって集中処理されることによって実現されてもよく、あるいは、複数の装置によって分散処理されることによって実現されてもよい。
【０１７１】
本発明は、以上の実施の形態に限定されることなく、種々の変更が可能であり、それらも本発明の範囲内に包含されるものであることは言うまでもない。
【産業上の利用可能性】
【０１７２】
以上のように、本発明によれば、体の熱を検知し、情報を送信する携行品を提供できる。かかる携行品は、着用者が当該携行品を身に着けている場合に、情報を送信するので、情報の送信先において、少なくとも、着用者が当該携行品を身に着けていることを確認できるという効果を有し、携行品等として有用である。
【符号の説明】
【０１７３】
１  携行品
２  サーバ
１０  熱送信モジュール
１１  格納部
１２  検知部
１３  位置情報取得部
１４  送信部
１５  バッテリ
１６  帽体
１７  内装体
１８  グラス
１９  フレーム
２１  サーバ格納部
２２  サーバ受信部
２３  サーバ処理部
２４  サーバ出力部
１２１  熱電変換素子
１２２  計測手段
１２３  判別手段
【図１】
2020013343.tif 000003
【図２】
2020013343.tif 000004
【図３】
2020013343.tif 000005
【図４】
2020013343.tif 000006
【図５】
2020013343.tif 000007
【図６】
2020013343.tif 000008